(57)【要約】【課題】  バッテリー充電量を表示できる充電器の提供。【解決手段】  外部電力（２０）を電力変換してバッテリー（３０）に対して充電を行ない、充電後に表示信号を出力する充電装置（１５）と、  該充電装置（１５）に設けられ、並びに表示信号を受け取り、該バッテリー（３０）に充電装置（１５）による充電が行なわれた後に、表示信号が提供する多段電気量比によりバッテリー（３０）に実際に行なわれた充電の電気量値を表示する表示ユニット（１６）と、を具えたことを特徴とする。【選択図】        図４
2005176577.tif 000002
【特許請求の範囲】
【請求項１】
外部電力（２０）を電力変換してバッテリー（３０）に対して充電を行ない、充電後に表示信号を出力する充電装置（１５）と、
該充電装置（１５）に設けられ、並びに表示信号を受け取り、該バッテリー（３０）に充電装置（１５）による充電が行なわれた後に、表示信号が提供する多段電気量比によりバッテリー（３０）に実際に行なわれた充電の電気量値を表示する表示ユニット（１６）と、を具えたことを特徴とする、バッテリー充電量を表示できる充電器。
【請求項２】
請求項１記載のバッテリー充電量を表示できる充電器において、外部電力（２０）を利用した充電動作は定電流モード（Ｃ．Ｃ．）で行なわれることを特徴とする、バッテリー充電量を表示できる充電器。
【請求項３】
請求項１記載のバッテリー充電量を表示できる充電器において、充電装置（１５）が、制御ユニット（１５１）、駆動ユニット（１５２）、変圧ユニット（１５４）を具え、
該制御ユニット（１５１）は予め参考電気量値が設定され、該制御ユニット（１５１）は充電信号と電力中断信号を出力して外部電力（２０）の充電動作を実行或いは中断し、且つ該制御ユニット（１５１）は外部電力（２０）の充電中断状態で該バッテリー（３０）がフィードバックする充電済電気量値を受け取り、並びに充電済電気量値と参考電気量値から電気量比の値を演算し、この電気量比の値により表示信号を出力し、
該駆動ユニット（１５２）は、該充電信号と電力中断信号を受け取り、該充電信号を駆動信号に変換して出力し、
該変圧ユニット（１５４）は、該駆動信号を受け取り、外部電力（２０）を直流電力に変換してバッテリー（３０）に対して充電動作を行なうことを特徴とする、バッテリー充電量を表示できる充電器。
【請求項４】
請求項３記載のバッテリー充電量を表示できる充電器において、制御ユニット（１５１）とバッテリー（３０）の間に修正ユニット（１５３）が設けられたことを特徴とする、バッテリー充電量を表示できる充電器。
【請求項５】
請求項３記載のバッテリー充電量を表示できる充電器において、バッテリー（３０）に対する充電動作は以下のステップ、即ち、
Ａ．初期化設定（Ａ）：制御ユニット（１５１）に、操作しようとするバッテリー（３０）の種類、容量等の因子により、充電実行時間、電気量参考値、表示電気量比の設定を行なう、
Ｂ．エラー検出モード（Ｂ）：バッテリー（３０）と充電器（１０）が接続された時、該充電器（１０）がバッテリー（３０）に充電を行なえるかのエラー検出、判断を行なう、
Ｃ．充電モード（Ｃ）：バッテリー（３０）が該エラー検出モード（Ｂ）を通過した後、充電器（１０）が設定時間によりバッテリー（３０）に対して定電流モード充電を行ない、且つ充電モード（Ｃ）は多段間隔の充電時間を設定できる、
Ｄ．充電量試験（Ｄ）：該充電モード（Ｃ）の各間隔充電時間が完成すると、制御ユニット（１５１）が電力中断信号を駆動ユニット（１５２）に送り、外部電力（２０）の供給状態を切断し、バッテリー（３０）にその実際の充電電気量値を制御ユニット（１５１）にフィードバックさせ、さらに制御ユニット（１５１）が設定参考電気量値によりロジック演算を行ない、並びに設定比により電気量比の値を得る、
Ｅ．表示モード（Ｅ）：電気量比の値により、制御ユニット（１５１）が表示信号を表示ユニット（１６）に送る、
以上のステップを具えたことを特徴とする、バッテリー充電量を表示できる充電器。
【請求項６】
請求項５記載のバッテリー充電量を表示できる充電器において、エラー検出モード（Ｂ）で、充電を行なえないバッテリー（３０）であると判断するとスリープモード（Ｈ）に進入することを特徴とする、バッテリー充電量を表示できる充電器。
【請求項７】
請求項５記載のバッテリー充電量を表示できる充電器において、前記ステップが、温度測定モード（Ｆ）を更に具えたことを特徴とする、バッテリー充電量を表示できる充電器。
【請求項８】
請求項５記載のバッテリー充電量を表示できる充電器において、前記ステップが、維持モード（Ｇ）を更に具え、該維持モード（Ｇ）において、設定充電時間が完成しバッテリー（３０）の充電量が飽和状態に達した時に、充電方式を持続してバッテリー（３０）に充電飽和状態を維持させることを特徴とする、バッテリー充電量を表示できる充電器。
【請求項９】
請求項１記載のバッテリー充電量を表示できる充電器において、充電器（１０）は電力変換を行なえる充電装置（１５）とされ、外部電力（２０）に接続される電源入力ポート（１１）、外部電力（２０）の電力供給をオンオフするための切り換えスイッチ（１２）、バッテリー（３０）と接続されて電力を輸送する送電部（１３）を具え、
該充電器（１０）に表示ユニット（１６）が設けられ、該表示ユニット（１６）が多段電気量比を提供してバッテリー（３０）の実際に充電完成した電気量値を表示することを特徴とする、バッテリー充電量を表示できる充電器。
【請求項１０】
請求項９記載のバッテリー充電量を表示できる充電器において、充電器（１０）がエラー検出指示ランプ（１４）を具えたことを特徴とする、バッテリー充電量を表示できる充電器。
【発明の詳細な説明】
【技術分野】
【０００１】
本発明はバッテリー充電量を表示できる充電器に係り、特に、充電器にバッテリーに実際に充電完成した充電電気量を多段電気量比表示する表示ユニットが設けられ、使用者がバッテリーを使用する時に、バッテリーの実際の充電電気量に対して判断を行なえるようにする、バッテリー充電量を表示できる充電器に関する。
【背景技術】
【０００２】
バッテリーは、人々が電気製品を使用する上での電力中断問題の心配をなくし、携帯と重複使用できる便利さにより、操作上便利で環境保護にも役立っている。バッテリーの容量の大幅な増加とバッテリー材料の改良により、バッテリーの応用はますます広がっており、現在、音響等の小型家電に限らず、電気スクーター等の大型運輸工具にまで応用され、このためバッテリーに対して有効な充電を行なえる技術が相当に重要となっている。
【０００３】
特許文献１の充電装置は、バッテリーセルを具えたバッテリーセットに対する充電を行ない、バッテリーセットはバッテリーセルの最大充電電流の情報と最大充電電圧の情報を保存し、並びに最大充電電圧のデジタル情報を保存する記憶機構を具えるものとされている。また、特許文献２には、複数のバッテリーセットに充電する時に、充電時間を減らすとができ、並びに小体積である充電装置が記載されている。
【０００４】
以上の特許文献１、２に記載の技術は、充電電池にいかに最短時間で有効な充電を行なうかの方法に係るものである。しかし使用者にとっては、充電電池の使用前に、必ず充電電池の実際の充電量を了解しなければ、電気製品をどれだけの時間使った後に更に充電或いバッテリーの交換を行なわねばならないかを判断できない。このため、特許文献３に記載の充電装置は、演繹法プログラムを具えたマイクロコントローラを採用し、バッテリーの充電状態をモニタリングして制御信号を発生し、バッテリーに適量な充電電圧と電流を供給するようにしている。しかし、この装置は充電電池容量を検出する機能を具えてはいるが、実質上、ただ一回の検出の過程により、バッテリーが充電飽和状態かを検査するに過ぎず、正確にバッテリーの容量を測定することはできない。
【０００５】
以上の説明から分かるように、周知の技術はバッテリーが充電飽和に至っていないことの検出しか行なえず、このため使用者にとってはあまり役立たない。例えば、使用者が電動スクーターで外出しようとする時、バッテリーの実際の充電電気量が分からなければ、どれほどの距離を乗車できるか分からず、バッテリーを飽和するまで充電するのにどれだけの時間を待たねばならないかが分からなければ非常に困る。このほか、現在小型バッテリーのシステム使用端（例えば携帯電話）にあって、バッテリーがシステム使用端に取り付けられた後は、バッテリー内の電気量値が表示されるが、使用者にとっては、複数のバッテリーを携帯して各バッテリーの実際の充電量を判断しなければならず、充電器に比表示装置が設けられていないため、使用者は一々システム使用端に交換して取り付けなければこの情報を知ることができない。このため使用者が充電器上で即刻正確な電気量比の値を獲得できるようにすることが求められる。
【０００６】
【特許文献１】台湾特許公告第５０７４１２号明細書
【特許文献２】台湾特許公告第５２２６２４号明細書
【特許文献３】台湾特許公告第５３３６４６号明細書
【発明の開示】
【発明が解決しようとする課題】
【０００７】
本発明は、上述の従来の技術の問題を解決し、欠点の存在を無くすために提供される。本発明の主要な目的は、バッテリー充電量を表示できる充電器を提供することにあり、それは、充電器に提供される外部電力を電力変換してバッテリーに対して充電を行なう充電装置が充電後の表示信号を出力し、並びに充電装置に該表示信号を受け取る表示ユニットが設けられ、該表示ユニットが、バッテリーに対して充電装置が充電を行なった後に、表示信号に基づき、バッテリーの実際に充電完成した電気量値を多段電気量比を以て表示し、こうしてリアルタイムに且つ正確に充電完成した電気量情報を獲得できるようにし、使用者がバッテリーの使用時間と距離を正確に判断できるようにする。
【０００８】
本発明のもう一つの目的は、上述のバッテリー充電量を表示できる充電器において、充電器が外部電力中断状態にあって、充電された電池よりフィードバックされる実際の充電電気量値と予め設定された参考電気量を演算して、充電電池の既に充電完成した電気量比の値を獲得し、さらに充電器よりこの電気量比の値を表示信号として表示ユニットに送り、使用者に正確にバッテリーの充電量を告知し、これにより、単独でバッテリーの充電量に対する正確な判断を行ない、外部電力の干渉を受けずに正確な電気量比の値を取得でき、使用者がこの情報により安心し有効に運用できるようにすることにある。
【課題を解決するための手段】
【０００９】
請求項１の発明は、外部電力（２０）を電力変換してバッテリー（３０）に対して充電を行ない、充電後に表示信号を出力する充電装置（１５）と、
該充電装置（１５）に設けられ、並びに表示信号を受け取り、該バッテリー（３０）に充電装置（１５）による充電が行なわれた後に、表示信号が提供する多段電気量比によりバッテリー（３０）に実際に行なわれた充電の電気量値を表示する表示ユニット（１６）と、を具えたことを特徴とする、バッテリー充電量を表示できる充電器としている。
請求項２の発明は、請求項１記載のバッテリー充電量を表示できる充電器において、外部電力（２０）を利用した充電動作は定電流モード（Ｃ．Ｃ．）で行なわれることを特徴とする、バッテリー充電量を表示できる充電器としている。
請求項３の発明は、請求項１記載のバッテリー充電量を表示できる充電器において、充電装置（１５）が、制御ユニット（１５１）、駆動ユニット（１５２）、変圧ユニット（１５４）を具え、
該制御ユニット（１５１）は予め参考電気量値が設定され、該制御ユニット（１５１）は充電信号と電力中断信号を出力して外部電力（２０）の充電動作を実行或いは中断し、且つ該制御ユニット（１５１）は外部電力（２０）の充電中断状態で該バッテリー（３０）がフィードバックする充電済電気量値を受け取り、並びに充電済電気量値と参考電気量値から電気量比の値を演算し、この電気量比の値により表示信号を出力し、
該駆動ユニット（１５２）は、該充電信号と電力中断信号を受け取り、該充電信号を駆動信号に変換して出力し、
該変圧ユニット（１５４）は、該駆動信号を受け取り、外部電力（２０）を直流電力に変換してバッテリー（３０）に対して充電動作を行なうことを特徴とする、バッテリー充電量を表示できる充電器としている。
請求項４の発明は、請求項３記載のバッテリー充電量を表示できる充電器において、制御ユニット（１５１）とバッテリー（３０）の間に修正ユニット（１５３）が設けられたことを特徴とする、バッテリー充電量を表示できる充電器としている。
請求項５の発明は、請求項３記載のバッテリー充電量を表示できる充電器において、バッテリー（３０）に対する充電動作は以下のステップ、即ち、
Ａ．初期化設定（Ａ）：制御ユニット（１５１）に、操作しようとするバッテリー（３０）の種類、容量等の因子により、充電実行時間、電気量参考値、表示電気量比の設定を行なう、
Ｂ．エラー検出モード（Ｂ）：バッテリー（３０）と充電器（１０）が接続された時、該充電器（１０）がバッテリー（３０）に充電を行なえるかのエラー検出、判断を行なう、
Ｃ．充電モード（Ｃ）：バッテリー（３０）が該エラー検出モード（Ｂ）を通過した後、充電器（１０）が設定時間によりバッテリー（３０）に対して定電流モード充電を行ない、且つ充電モード（Ｃ）は多段間隔の充電時間を設定できる、
Ｄ．充電量試験（Ｄ）：該充電モード（Ｃ）の各間隔充電時間が完成すると、制御ユニット（１５１）が電力中断信号を駆動ユニット（１５２）に送り、外部電力（２０）の供給状態を切断し、バッテリー（３０）にその実際の充電電気量値を制御ユニット（１５１）にフィードバックさせ、さらに制御ユニット（１５１）が設定参考電気量値によりロジック演算を行ない、並びに設定比により電気量比の値を得る、
Ｅ．表示モード（Ｅ）：電気量比の値により、制御ユニット（１５１）が表示信号を表示ユニット（１６）に送る、
以上のステップを具えたことを特徴とする、バッテリー充電量を表示できる充電器としている。
請求項６の発明は、請求項５記載のバッテリー充電量を表示できる充電器において、エラー検出モード（Ｂ）で、充電を行なえないバッテリー（３０）であると判断するとスリープモード（Ｈ）に進入することを特徴とする、バッテリー充電量を表示できる充電器としている。
請求項７の発明は、請求項５記載のバッテリー充電量を表示できる充電器において、前記ステップが、温度測定モード（Ｆ）を更に具えたことを特徴とする、バッテリー充電量を表示できる充電器としている。
請求項８の発明は、請求項５記載のバッテリー充電量を表示できる充電器において、前記ステップが、維持モード（Ｇ）を更に具え、該維持モード（Ｇ）において、設定充電時間が完成しバッテリー（３０）の充電量が飽和状態に達した時に、充電方式を持続してバッテリー（３０）に充電飽和状態を維持させることを特徴とする、バッテリー充電量を表示できる充電器としている。
請求項９の発明は、請求項１記載のバッテリー充電量を表示できる充電器において、充電器（１０）は電力変換を行なえる充電装置（１５）とされ、外部電力（２０）に接続される電源入力ポート（１１）、外部電力（２０）の電力供給をオンオフするための切り換えスイッチ（１２）、バッテリー（３０）と接続されて電力を輸送する送電部（１３）を具え、
該充電器（１０）に表示ユニット（１６）が設けられ、該表示ユニット（１６）が多段電気量比を提供してバッテリー（３０）の実際に充電完成した電気量値を表示することを特徴とする、バッテリー充電量を表示できる充電器としている。
請求項１０の発明は、請求項９記載のバッテリー充電量を表示できる充電器において、充電器（１０）がエラー検出指示ランプ（１４）を具えたことを特徴とする、バッテリー充電量を表示できる充電器としている。
【発明の効果】
【００１０】
本発明はエラー検出モード及び充電量試験でいずれも外部電力中断状況下でバッテリーの実際の充電量を表示し、使用者がバッテリーを充電する時、リアルタイムに正確に完成した充電量情報を獲得でき、使用時間と距離の正確な判断を行なうことができる。
【発明を実施するための最良の形態】
【００１１】
図１、２、３に示されるように、本発明のバッテリー（３０）充電量を表示できる充電器（１０）は、構造面から述べると、充電装置（１５）を具え、該充電装置（１５）には外部電力（２０）との接続のために電源入力ポート（１１）と切り換えスイッチ（１２）が設けられ、且つ該充電装置（１５）にバッテリー（３０）に接続される送電部（１３）が設けられている。該送電部（１３）は図示されるように、ピン端子を具えた電気連接線とされるか、或いは充電装置（１５）に開設された電力供給溝とされ（送電部（１３）はバッテリー（３０）の大きさにより定められ、ここでは大型のバッテリー（３０）を実施例として説明している）、且つ充電装置（１５）に表示ユニット（１６）が設けられている。該表示ユニット（１６）は発光ダイオードランプセットとされ得て、該ランプセットは色の区分或いは表示ラベルにより電気量比の値を代表し、使用者に明確に該バッテリー（３０）の充電完成した電気量を知らせる。或いは、該表示ユニット（１６）は液晶ディスプレイモジュール或いは波段ディスプレイとされ得て、同様に使用者に充電器（１０）上で実際のバッテリー（３０）の充電量を知らせることができる。このほか、充電装置（１５）には更にエラー検出指示ランプ（１４）が設けられ、バッテリー（３０）の充電過程中に、充電不能や温度過高の状況が発生すると、点滅信号を提示して使用者にバッテリー（３０）の交換或いは電力ソース切断を促す。
【００１２】
図４、５、６に示されるように、回路構造上、該充電器（１０）は、充電装置（１５）を具え、該充電装置（１５）は、外部電力（２０）に対して電力変換を行ない充電装置（１５）に対して充電を行ない、並びに充電後に表示信号を出力する。表示ユニット（１６）は、充電装置（１５）に設けられ、並びに該表示信号を受け取り、バッテリー（３０）に充電装置（１５）による充電が行なわれた後に、表示信号の提供する多段電気量比によりバッテリー（３０）に実際に充電完成した電気量値を表示する。本発明の充電装置（１５）の回路レイアウトは、制御ユニット（１５１）、駆動ユニット（１５２）、変圧ユニット（１５４）を具えている。該制御ユニット（１５１）に参考電気量値が予め設けられ、該制御ユニット（１５１）は充電信号と電力中断信号を出力して外部電力（２０）に充電動作を実行及び中断させ、且つ制御ユニット（１５１）は外部電力（２０）の充電中断状態でバッテリー（３０）のフィードバックする充電電気量値を受け取り、並びに充電電気量値と参考電気量値を演算して電気量比の値を得て、該制御ユニット（１５１）はこの電気量比の値により表示信号を出力する。駆動ユニット（１５２）は、充電信号と電力中断信号を受け取り、並びにこの充電信号を駆動信号に変換して出力する。変圧ユニット（１５４）は、該駆動信号を受け取り、外部電力（２０）を直流電力に変換してバッテリー（３０）に対して充電を行なう。
【００１３】
図５に示されるように、本発明の充電器（１０）のバッテリー（３０）に対する充電は以下のプロセスで行なわれる。使用者がバッテリー（３０）と充電器（１０）の充電装置（１５）を送電部（１３）により接続した後、充電装置（１５）は制御ユニット（１５１）が駆動ユニット（１５２）に充電信号を出力し、駆動ユニット（１５２）が充電信号をホトカプリングし共振周波数により駆動信号に変換して変圧ユニット（１５４）に送り、変圧ユニット（１５４）が駆動信号を受け取って外部電力（２０）を交流−直流変換し、並びに定電流モード（Ｃ．Ｃ．）を維持してバッテリー（３０）に対して充電を行なう（この充電フローは周知の技術に属するため、詳しい説明は省略する）。
【００１４】
さらに図６には、本発明のバッテリー（３０）の実際の充電量の測定と表示のプロセスが示される。充電装置（１５）のバッテリー（３０）に対する充電過程で、充電器（１０）の制御ユニット（１５１）が、バッテリーが取り付け開始された状態或いはすでに取り付けられて充電を行なう状態で、充電装置（１５）には充電中断信号が予め設けられ、この充電中断信号は設定された時間間隔で制御ユニット（１５１）より送出される。この時、駆動ユニット（１５２）が該充電中断信号を受け取った後に切断状態となり、即ち外部電力（２０）のバッテリー（３０）に対する充電動作を切断する。この時、外部電力（２０）の充電切断状態下で、バッテリー（３０）は送電部（１３）によりその実際の充電量により充電電気量値を充電器（１０）の制御ユニット（１５１）にフィードバックする。バッテリー（３０）の実際の充電量の電圧レベルを正確な値とするため、制御ユニット（１５１）及びバッテリー（３０）の間にはフローティング電圧レベルを修正する修正ユニット（１５３）が設けられ、バッテリー（３０）の実際の充電量より外部電力（２０）の初期切断状態下での電圧の影響を消去し、これによりバッテリー（３０）のフィードバックする実際の充電電気量値を正確な値とする。最後に、充電器（１０）の制御ユニット（１５１）により設定された参考電気量値を提供し、並びにバッテリー（３０）のフィードバックする実際の充電電気量値とこの参考電気量値を演算し、バッテリー（３０）に実際に既に充電完成した電気量比の値を求める。この電気量比の値により制御ユニット（１５１）がその設定により表示信号を表示ユニット（１６）に送る。
【００１５】
本発明の充電器（１０）は鉛酸電池、ニッケル水素電池、ニッケルカドウミウム電池に適用可能である。
【００１６】
図７に示されるように、本発明の充電器（１０）のバッテリー（３０）に対する充電フローは以下のステップを具えている。
Ａ．初期化設定（Ａ）：充電器（１０）の制御ユニット（１５１）中のＢＩＯＳを、操作しようとするバッテリー（３０）の種類、容量等の因子により、充電実行時間、電気量参考値、表示電気量比の設定を行なう。
Ｂ．エラー検出モード（Ｂ）：バッテリー（３０）と充電器（１０）が接続された時、該充電器（１０）がバッテリー（３０）に充電を行なえるかのエラー検出、判断を行なう。判断方式は、まずバッテリー（３０）を短時間充電した後、外部電力（２０）を中断して電圧Ｖ１を測定し、さらに一次時間充電し、同様に外部電力（２０）を中断して測定電圧Ｖ２を得る。もしＶ２≦Ｖ１であれば、バッテリー（３０）が負電圧状態にあることを示し、外部電力（２０）による有効な充電効果がえられないことを示し、即ち、このバッテリー（３０）は充電不能であることを示し、充電器（１０）がスリープモード（Ｈ）に進入し、並びに制御ユニット（１５１）がエラー検出指示ランプ（１４）に送出して使用者にバッテリー（３０）の交換、再充電を告知する。
Ｃ．充電モード（Ｃ）：バッテリー（３０）が該エラー検出モード（Ｂ）を通過した後、図５の充電ステップにより、充電器（１０）が設定時間によりバッテリー（３０）に対して定電流モード充電を行ない、使用者が即時にバッテリー（３０）の充電完成電気量値を獲得できるように、充電モード（Ｃ）は多段間隔の充電時間を設定できる。
Ｄ．充電量試験（Ｄ）：該充電モード（Ｃ）の各間隔充電時間が完成すると、制御ユニット（１５１）が電力中断信号を駆動ユニット（１５２）に送り、外部電力（２０）の供給状態を切断する。この時、バッテリー（３０）はその実際の充電電気量値を修正ユニット（１５３）を介して制御ユニット（１５１）にフィードバックし、さらに制御ユニット（１５１）が設定参考電気量値によりロジック演算を行ない、並びに設定比により電気量比の値を得る、
Ｅ．表示モード（Ｅ）：電気量比の値により、制御ユニット（１５１）が表示信号を表示ユニット（１６）に送る。本実施例では、電気量値≧５０％、７５％、８５％、或いは１００％であり、前述の表示比は制御ユニット（１５１）にバッテリー（３０）の種類、容量等の因子により設定され、即ち、この電気量表示比は必要により設定変更でき、表示方式には、ＬＥＤランプセット或いは波段ディスプレイ等の方式が採用されうる。使用者が臨時にバッテリー（３０）を取り出す必要がある時は、充電器（１０）の表示ユニット（１６）の電気量比により、このバッテリー（３０）にある使用できる電気量を知ることができ、これにより予定使用時間と距離を判断することができる。
Ｆ．温度測定モード（Ｆ）：充電モード（Ｃ）の各間隔充電時間が完成し、並びに電気量比が表示された後、さらに次の間隔充電時間を実行する前に、バッテリー（３０）に対して温度測定を行ない、これによりバッテリー（３０）の不当な損壊と焼損の状況の発生を防止する。
Ｇ．維持モード（Ｇ）：設定充電時間が完成するか、或いはバッテリー（３０）の実際の充電量が飽和状態となって、使用者がバッテリー（３０）を取り出さないと、充電器（１０）が維持モード（Ｇ）に進入し、パルス充電等の方式でバッテリー（３０）に充電飽和状態を維持させる。
【００１７】
以上の説明から分かるように、本発明のエラー検出モード及び充電量試験ではいずれも外部電力（２０）中断状況下でバッテリー（３０）の実際の充電量を表示し、使用者がバッテリー（３０）を充電する時、リアルタイムに正確に完成した充電量情報を獲得でき、使用時間と距離の正確な判断を行なうことができる。
【図面の簡単な説明】
【００１８】
【図１】本発明の斜視図である。
【図２】本発明の側面図である。
【図３】本発明の別の側面図である。
【図４】本発明の電気回路ブロック図である。
【図５】本発明の充電フローのブロック図である。
【図６】本発明の検査及び表示フローのブロック図である。
【図７】本発明の実施例フローチャートである。
【符号の説明】
【００１９】
（１０）充電器
（１３）送電部
（１４）エラー検出指示ランプ
（１５）充電装置
（１５１）制御ユニット
（１５２）駆動ユニット
（１５３）修正ユニット
（１５４）変圧ユニット
（１６）表示ユニット
（２０）外部電力
（３０）バッテリー
（Ａ）初期化設定
（Ｂ）エラー検出モード
（Ｃ）充電モード
（Ｄ）充電量試験
（Ｅ）表示モード
（Ｆ）温度測定モード
（Ｇ）維持モード
（Ｈ）スリープモード
【図１】
2005176577.tif 000003
【図２】
2005176577.tif 000004
【図３】
2005176577.tif 000005
【図４】
2005176577.tif 000006
【図５】
2005176577.tif 000007
【図６】
2005176577.tif 000008
【図７】
2005176577.tif 000009